(57)【特許請求の範囲】
【請求項１】
基端部を弾性連結部で相互に連結することによりピンセット式に開閉自在とした一対の挟持アームの先端部に、上方に向けて鉤形に折れ曲がった先端を有する刷毛台をそれぞれ形成し、これらの刷毛台に、汚れ落とし用の刷毛を、毛先面が該刷毛台の鉤形形状に沿って屈曲するように植設すると共に、これらの刷毛台の先端に、ごみを摘むための突起を形成したことを特徴とする排水口用清掃具。
【請求項２】
請求項１に記載の清掃具において、上記刷毛の毛先面が、２つの挟持アームの軸線を含む平面と実質的に平行な平面内に位置する第１毛先面と、この第１毛先面と実質的に直交する第２毛先面とを有していることを特徴とするもの。
【請求項３】
請求項１又は２に記載の清掃具において、上記刷毛が、複数の繊維を束にした繊維束を刷毛台の外周面に複数列植設することにより形成されていて、挟持アームを閉じたときに刷毛同士がぶつからないように内側列の繊維束は真っ直ぐ植設され、外側列の繊維束が外側に向けて傾斜した状態に植設されていることを特徴とするもの。
【請求項４】
請求項１から３までの何れかに記載の清掃具において、上記突起が刷毛台より細径をなしていて、該刷毛台の先端に上向きに設けられ、該突起の先端は内側に向けて傾斜していることを特徴とするもの。
【発明の詳細な説明】
【０００１】
【発明の属する技術分野】
本発明は、浴室や洗面台、流し台などの排水口を清掃するのに適した排水口用清掃具に関するものである。
【０００２】
【従来の技術】
浴室や洗面台、流し台などに設けられている排水口は、汚水やごみなどが流れるために非常に汚れ易く、開口の口縁部分や内周面、あるいは内部に形成された段部等にスラッジ状の滑り物質が付着したり、ごみが引っ掛かるなどして目詰まりし易い。特に浴室の排水口の場合は、上述した滑り物質が付着し易いだけでなく、通常は開口部が格子状のグレーティングで覆われているため、このグレーティングに毛髪などのごみが絡み付いて更に目詰まりし易くなる。このため、その清掃を行うに当たっては、開口の口縁部分や内周面、あるいは内部にある段部等に付着した上記滑り物質を除去するほかに、このグレーティングに絡み付いた毛髪などのごみも除去しなければならない。
【０００３】
このような排水口の清掃には通常、スポンジやたわし、あるいは使い古しの歯ブラシ等が使用されているが、それぞれ一長一短があって、一つの用具によって上述したような開口の口縁部分や内周面、あるいは開口内の段部等に付着した上記滑り物質の除去と、グレーティングに絡み付いた毛髪などのごみの除去とを、全て効率良く確実に行うことは困難である。
【０００４】
【発明が解決しようとする課題】
本発明の技術的課題は、上述した従来の問題点に鑑み、排水口の口縁部分や内周面、あるいは開口内の段部等に付着した滑り物質の除去と、グレーティングに絡み付いた毛髪などのごみの除去とを、簡単かつ確実に行うことができる排水口用清掃具を提供することにある。
【０００５】
【課題を解決するための手段】
上記課題を解決するため本発明によれば、基端部を弾性連結部で相互に連結することによりピンセット式に開閉自在とした一対の挟持アームの先端部に、上方に向けて鉤形に折れ曲がった先端を有する刷毛台をそれぞれ形成し、これらの刷毛台に、汚れ落とし用の刷毛を、毛先面が該刷毛台の鉤形形状に沿って屈曲するように植設すると共に、これらの刷毛台の先端に、ごみを摘むための突起を形成したことを特徴とする排水口用清掃具が提供される。
【０００６】
このような構成を有する本発明の清掃具は、上記刷毛により、排水口の口縁部分や内周面、あるいは開口内の段部等に付着した滑り物質を擦り落とし、グレーティングなどに絡み付いた毛髪などのごみは、上記突起で摘んで除去する。この場合、上記刷毛の毛先面が、鉤形をした刷毛台に沿って部分的に向きが異なっているため、これらの毛先面を使い分けることにより、互いに向きや角度等の異なる上記排水口の口縁部分や内周面あるいは孔内の段部等であっても、それらに付着した滑り物質を簡単且つ確実に除去することができる。
【０００７】
本発明においては、上記刷毛の毛先面が、２つの挟持アームの軸線を含む平面と実質的に平行な平面内に位置する第１毛先面と、この第１毛先面と実質的に直交する第２毛先面とを有していることが望ましい。
これにより、上記第１毛先面で排水口の口縁部分や孔の内周面等を清掃し、第２毛先面で孔内の段部等を清掃することができる。
【０００８】
本発明の好ましい実施態様においては、上記刷毛が、複数の繊維を束にした繊維束を刷毛台の外周面に複数列植設することにより形成されていて、挟持アームを閉じたときに刷毛同士がぶつからないように内側列の繊維束は真っ直ぐ植設され、外側列の繊維束が外側に向けて傾斜するように植設されている。
【０００９】
本発明の他の具体的な実施態様によれば、上記突起が刷毛台より細径をなしていて、該刷毛台の先端に上向きに設けられ、該突起の先端は内側に向けて傾斜している。
【００１０】
【発明の実施の形態】
以下、本発明に係る排水口用清掃具の好ましい実施形態を図面に基づいて詳細に説明する。図１〜図３に示す清掃具は、基端部を弾性連結部２で相互に連結することによりピンセット式に開閉自在とした一対の挟持アーム１，１を有している。これらの挟持アーム１，１の先端部には、互いに並行する向きに鉤形に折れ曲がった先端３ａを有する刷毛台３がそれぞれ形成され、この刷毛台３に、汚れ落とし用の刷毛４が、該刷毛台３の鉤形形状に沿って部分的に向きの異なる毛先面５を有するように植設されると共に、ごみを摘むための突起６が形成されている。なお、この清掃具は、上記刷毛４を除いたその他の部分が合成樹脂により一体に成形されている。
【００１１】
上記挟持アーム１，１は、強度を保つために図４に示すように断面Ｌ字形に形成されており、また、それらの先端の刷毛台３は、図５に示すように断面半円形に形成されていて、その平らな側面３ｂが互いに相対するようにアームの内側に向けられている。そして、この刷毛台３の屈曲する外周面に上記刷毛４が植設されている。このため刷毛４の毛先面５は、該刷毛台３の鉤形形状に沿った形に屈曲している。図示の例では毛先面５が、２つの挟持アーム１，１の軸線を含む平面と実質的に平行な平面内に位置する第１毛先面５ａと、この第１毛先面５ａと実質的に直交する第２毛先面５ｂとに分かれている。この場合、第１毛先面５ａと第２毛先面５ｂとが連なる部分は角になっていても良いが、アールをつけたり直線的にカットすることによって角をなくしても良い。
【００１２】
なお、上記刷毛４は、複数の繊維を束にした繊維束４ａを刷毛台３の外周面に沿って２列に配置し、毛先面５が左右に広がるように相互間に角度を持たせて植設したものであるが、その際、両挟持アーム１，１を閉じたときに刷毛同士がぶつからないようにするため、図５に示すように、内側の列の繊維束４ａは真下及び真正面方向に向けてほぼ真っ直ぐに植設し、外側の列の繊維束４ａを外側に向けて傾けた状態に植設することが望ましい。しかしながら、刷毛４の形態はこのようなものに限定されない。
【００１３】
また、上記突起６は、上記刷毛台３より細径をなしていて、該刷毛台３の先端の内側寄りの位置に、挟持アーム１の軸線とほぼ直交する方向に向けて延出するように形成され、該突起６の先端は、毛髪等を確実に掴めるように内側に向けてやや傾斜している。
【００１４】
上記構成を有する排水口用清掃具で排水口を清掃するに当たっては、排水口の口縁部分や内周面、グレーティングなどに付着した滑り物質は、刷毛４の挟持アーム１，１と平行する第１毛先面５ａで擦り落とし、開口内の段部の上面等に付着した滑り物質は、挟持アーム１，１の先端の前方を向く第２毛先面５ｂで擦り落とす。また、グレーティングなどに絡み付いた毛髪などのごみは、清掃具の向きを上下反転させ、刷毛台３，３の先端から突出する上記突起６，６により摘んで除去する。
【００１５】
このように、清掃対象に応じて刷毛４の向きの異なる毛先面５ａ，５ｂを使い分けることにより、上記排水口の口縁部分や内周面あるいは孔内の段部等であっても、それらに付着した滑り物質を簡単且つ確実に除去することができ、また、清掃具の向きを変えて持ち変えるだけで、グレーティングに絡み付いた毛髪などのごみも簡単に除去することができる。
【００１６】
【発明の効果】
このように本発明によれば、一つの清掃具で排水口の口縁部分や内周面、あるいは開口内の段部等に付着した滑り物質の除去と、グレーティングに絡み付いた毛髪などのごみの除去とを、簡単かつ確実に行うことができ、機能的で作業性に勝れる。
【図面の簡単な説明】
【図１】本発明に係る清掃具の一実施例を示す斜視図である。
【図２】図１の平面図である。
【図３】図２の側面図である。
【図４】図３におけるＡ−Ａ線での断面図である。
【図５】図３におけるＢ−Ｂ線での断面図である。
【符号の説明】
１    挟持アーム
２    弾性連結部
３    刷毛台
３ａ    先端
４    刷毛
４ａ    繊維束
５    毛先面
５ａ    第１毛先面
５ｂ    第２毛先面
６    突起
【図１】
0003739658.tif 000002
【図２】
0003739658.tif 000003
【図３】
0003739658.tif 000004
【図４】
0003739658.tif 000005
【図５】
0003739658.tif 000006